(57)【要約】【課題】  光ディスクの寿命を縮めることなく、傷ないしは異物を除去ないしは修復することができる光ディスクを提供する。【解決手段】  ＣＤ１は、ディスク本体部７と、該ディスク本体部７に対して着脱可能な分離保護層８とで構成されている。ディスク本体部７は、分離保護層側から、順に、固定保護層とデータ層と反射層と保護膜とラベル層とが一体的に積層された構造を有している。分離保護層８のコア部３ａには、突起部１５、１６が設けられている。他方、ディスク本体部７のコア部３ｂには、穴部１７、１８が形成されている。そして、突起部１５、１６と穴部１７、１８とを係合ないしは嵌合させることにより、分離保護層８をディスク本体部７に取り付けるようにしている。【選択図】図３
2006338737.tif 000002
【特許請求の範囲】
【請求項１】
レーザ光が照射される側に、記録層を保護する透明な保護層が設けられている光ディスクにおいて、
保護層が、ディスク本体部の一部をなす固定保護層と、該固定保護層に当接又は近接するようにしてディスク本体部に着脱可能に取り付けられている分離保護層とを備えていることを特徴とする光ディスク。
【請求項２】
分離保護層のセンターホール近傍部に突起部が設けられる一方、ディスク本体部のセンターホール近傍部に穴部が形成され、突起部と穴部とを係合させることにより、分離保護層がディスク本体に着脱可能に取り付けられていることを特徴とする、請求項１に記載の光ディスク。
【請求項３】
レーザ光が照射される側に、記録層を保護する透明な保護層が設けられている光ディスクにおいて、
保護層が、ディスク本体部に着脱可能に取り付けられていることを特徴とする光ディスク。
【請求項４】
保護層のセンターホール近傍部に突起部が設けられる一方、ディスク本体部のセンターホール近傍部に穴部が形成され、突起部と穴部とを係合させることにより、保護層がディスク本体に着脱可能に取り付けられていることを特徴とする、請求項３に記載の光ディスク。
【発明の詳細な説明】
【技術分野】
【０００１】
本発明は、レーザ光が照射される方の広がり面に、ディスク本体に対して着脱可能な保護層が取り付けられている光ディスクに関するものである。
【背景技術】
【０００２】
文字、画像、音声、音楽等の各種デジタル情報を、レーザ光を用いて読み取ることができる形態で記録している光ディスクは、磁気ディスク等の磁気記録媒体に比べて、大量の情報を高密度で記録することができ、アクセス時間が短く、かつ電磁気的な外乱に対する耐性が高いので、近年、急速に普及しつつある。
【０００３】
ところで一方、かかる光ディスクでは、レーザ光が照射される方の広がり面（以下「光照射面」という。）に傷がついたり、異物が付着したりすることがある。この場合、傷ないしは異物がレーザ光の波長に比べて小さければとくに問題は生じない。しかし、傷ないしは異物がレーザ光の波長に比べて大きいと、情報の書き込み時や読み取り時にエラーが生じることがある。
【０００４】
そこで、透明な高分子素材からなり、光ディスクの光照射面に貼り付けられて該光照射面に傷がついたり異物が付着したりするのを防止ないしは抑制する表面保護フィルムが種々提案されている。具体的には、例えば、ポリカーボネートからなる表面保護フィルムが提案されている。また、熱可塑性脂環状ノルボルネン系樹脂からなる表面保護フィルムも提案されている（特許文献１参照）。
【０００５】
しかしながら、ポリカーボネートからなる表面保護フィルムは、帯電しやすいので埃や塵などの異物が付着しやすく、また表面硬度が比較的低いので、光ディスクの光照射面に傷がつくのを有効に防止することができないといった問題がある。また、熱可塑性脂環状ノルボルネン系樹脂からなる表面保護フィルムでも、耐擦過性が低いので、光ディスクの光照射面に傷がつくのを有効に防止することができないといった問題がある。
【０００６】
そこで、表面硬度が比較的高い（例えば、鉛筆硬度で３Ｈ以上）非晶性ポリオレフィン素材からなる表面保護フィルムが提案されている（特許文献２参照）。
【特許文献１】特開２００１−２６６４０７号公報（［０００８］〜［００１１］）
【特許文献２】特開２００３−２４２６８５号公報（［００１３］、［００２１］）
【発明の開示】
【発明が解決しようとする課題】
【０００７】
しかしながら、このように表面硬度が高い非晶性ポリオレフィン素材からなる表面保護フィルムを用いても、光ディスクの光照射面に傷がつくのを完全に防止することはできない。そこで、光ディスクの光照射面には半ば必然的に傷がつくということを前提として、光照射面の傷を修復する手法が提案されている。具体的には、例えば光照射面に傷がついたときには、該光照射面を含む保護層を研磨するといった手法が提案されている。しかし、さほど厚くない保護層を研磨する（削る）ことは、光ディスクの寿命を縮めるといった問題を生じさせる。
【０００８】
また、光ディスクの光照射面を覆うとともに光ディスクの周縁部に嵌め込む形態の表面保護フィルム（いわゆる、外付けの表面保護フィルム）も提案されている。しかしながら、この種の表面保護フィルムは、厚さが非常に薄い上に、接着剤によって部分的に光ディスクに接着されているだけであるので、光ディスクから剥離することがあるといった問題がある。なお、表面保護フィルムがディスク読取装置内で剥離した場合、光ディスクだけでなく、ディスク読取装置にも損傷を与えるおそれがある。
【０００９】
本発明は、上記従来の問題を解決するためになされたものであって、光ディスクの光照射面に傷がついたり異物が付着したりしても、該光ディスクの寿命を縮めることなく、傷ないしは異物を除去ないしは修復することができる光ディスクを提供することを解決すべき課題とする。
【課題を解決するための手段】
【００１０】
上記課題を解決するためになされた本発明の第１の態様に係る光ディスクは、レーザ光が照射される側に、記録層を保護する透明な保護層が設けられている光ディスクにおいて、保護層が、ディスク本体部の一部をなす固定保護層と、該固定保護層に当接又は近接するようにしてディスク本体部に着脱可能に取り付けられている分離保護層とを備えていることを特徴とするものである。すなわち、この光ディスクは、従来は一体一層であった保護層を、互いに容易に分離することが可能な固定保護層と分離保護層とを備えた二層構造としたものである。
【００１１】
また、本発明の第２の態様に係る光ディスクは、レーザ光が照射される側に、記録層を保護する透明な保護層が設けられている光ディスクにおいて、保護層が、ディスク本体部に着脱可能に取り付けられていることを特徴とするものである。この光ディスクでは、一体一層構造の保護層がディスク本体部に着脱可能に取り付けられている。
【００１２】
本発明の第１又は第２の態様に係る光ディスクにおいては、分離保護層（第１の形態の場合）又は保護層（第２の形態の場合）のセンターホール近傍部に突起部が設けられる一方、ディスク本体部のセンターホール近傍部に穴部が形成され、突起部と穴部とを係合（又は嵌合）させることにより、分離保護層がディスク本体に着脱可能に取り付けられるようになっているのが好ましい。
【発明の効果】
【００１３】
本発明の第１又は第２の態様に係る光ディスクにおいては、分離保護層（第１の形態の場合）又は保護層（第２の形態の場合）を自在に取り替えることができる。したがって、光照射面に、情報の書き込み又は読み取りに支障をきたすほどの傷がついたり除去不可能な異物が付着したりしたときには、分離保護層又は保護層を新しいものと取り替えることにより、光ディスクを完全無欠な状態に復元することができる。つまり、光ディスクの光照射面に傷がついたり異物が付着したりしても、該光ディスクの現実の寿命を縮めることなく、傷ないしは異物を除去ないしは修復することができる。また、分離保護層又は保護層がディスク本体部から剥離ないしは脱離することはないので、読取装置を損傷する危険性を大幅に低減することができる。
【発明を実施するための最良の形態】
【００１４】
以下、添付の図面を参照しつつ、本発明の実施の形態を具体的に説明する。なお、この実施の形態では、光ディスクとしてＣＤ（Compact Disc）を例にとって説明するが、本発明の対象はＣＤに限定されるものではなく、その他の光ディスク、例えばＤＶＤ（Digital Versatile Disc）、ＭＤ（Mini Disc）等にも幅広く応用することができるのはもちろんである。
【００１５】
図１に示すように、本発明に係るＣＤ１は、所定の厚み（例えば、１.２ｍｍ）で円板状に形成され、その中心部に円形のセンターホール２（中心穴）が形成されている。そして、このＣＤ１には、センターホール側から周縁側に向かって、順に、ほぼ同心円状に、コア部３と、リードイン領域４と、データ領域５と、外縁部６とが設けられている。なお、コア部３及び外縁部６は、データを記録する構造を備えていない。ここで、ＣＤ１の外直径は例えば６０ｍｍ程度に設定され、センターホール２の直径は例えば３０ｍｍ程度に設定される。また、リング形のコア部３の外直径は例えば４５ｍｍ程度に設定される。
【００１６】
図２に示すように、ＣＤ１は、ディスク本体部７と、該ディスク本体部７に対して着脱可能な分離保護層８とで構成されている。ディスク本体部７と分離保護層８とが組み付けられた状態のＣＤ１を読取装置等（図示せず）で使用しているときには、分離保護層側からＣＤ１にレーザ光が照射される。
【００１７】
コア部３及び外縁部６を除けば、ディスク本体部７は、分離保護層側（レーザ光が照射される側）から、順に、固定保護層９と、データ層１０（記録層）と、反射層１１と、保護膜１２と、ラベル層１３とが一体的に積層された構造を有している。ここで、固定保護層９は、透明な高分子材料（例えば、ポリカーボネート）で形成されている。データ層１０は、レーザ光により読み取ることができ形態でデジタル情報を記録している。反射層１１は、例えばアルミニウム等の金属からなり、ＣＤ１に照射されたレーザ光を反射させて読取装置等に戻す。保護膜１２は、樹脂等で形成され、データ層１０ないしは反射層１１を保護する。ラベル層１３は、該ＣＤに関する各種情報を視認できるように表示する。
【００１８】
また、分離保護層８は、透明な高分子材料（例えば、ポリカーボネート）で形成されている。分離保護層８の厚さは、例えば０．３〜０．５ｍｍの範囲内に設定され、好ましくは０．４ｍｍ程度に設定される。なお、分離保護層８は、ディスク本体部７とは異なり、金属層等を含まず、単一の材料で形成されているので、取り替えられた（廃棄された）分離保護層８は、新たな分離保護層８を製造するための材料としてリサイクル使用することができる。
【００１９】
このように、分離保護層８がディスク本体部７に着脱可能に取り付けられた本発明に係るＣＤ１は６層構造を有している。なお、従来のこの種のＣＤは、保護層とデータ層と反射層と保護膜とラベル層とが一体的に積層された５層構造を有している。
【００２０】
本発明に係るＣＤ１においては、レーザ光を正しい方向に進行させるために、分離保護層８及びディスク本体部７の互いに対向する両広がり面は、それぞれ、十分に平坦でなければならない。また、固定保護層９及び分離保護層８の互いに対向する両広がり面は、両者の間隙が大きく開くとデータの読み取り等にエラーが生じることがあるので、当接し、あるいは十分に近接していなければならない。なお、両広がり面の間隙は３μｍ以下であるのが好ましく、１μｍ以下であるのがより好ましい。
【００２１】
また、分離保護層８をディスク本体部７に取り付けるときに、両者間に塵や埃などの異物が挟まれるのを防止するために、ディスク本体部７及び分離保護層８は、静電気力により異物を寄せ付けるおそれのない（又は低い）、良好な帯電防止性能を有する材料で形成されているのが好ましい。さらに、レーザ光の減衰を防止するため、固定保護層９及び分離保護層８は、波長が４００ｎｍ以上のレーザ光の透過率が９０％以上の材料、好ましくは９２％以上の材料で形成されているのが好ましい。なお、分離保護層８のレーザ光が照射される方の広がり面すなわち光照射面の形状ないしは態様は、従来のＣＤの保護層の光照射面のそれと同様であることが必要である。また、分離保護層８は、水蒸気透過率が２０（ｇ／ｍ２・日・０．１ｍｍ）以下の材料で形成されているのが好ましい。
【００２２】
以下、図３（ａ）〜（ｃ）を参照しつつ、ＣＤ１における、分離保護層８をディスク本体部７に取り付けるための具体的な取り付け構造を説明する。しかしながら、かかる取り付け構造は図３（ａ）〜（ｃ）に示すものに限定されるものではなく、分離保護層８をディスク本体部７に着脱可能に取り付けることができるものであれば、どのようなものでもよい。
【００２３】
図３（ａ）〜（ｃ）に示すように、分離保護層８のコア部３ａには、ディスク本体部側に向かって突出する第１突起部１５及び第２突起部１６が設けられている。各突起部１５、１６は、それぞれ、円柱形の軸部１５ａ、１６ａと、軸部１５ａ、１６ａより大径の円柱形のヘッド部１５ｂ、１６ｂとを有している。他方、ディスク本体部７のコア部３ｂには、該コア部３ｂを貫通する第１穴部１７及び第２穴部１８が形成されている。各穴部１７、１８は、それぞれ、平面視で略円形の円穴部１７ａ、１８ａと、円穴部１７ａ、１８ａの直径より小さい幅を有する長穴部１７ｂ、１８ｂとを有している。
【００２４】
ここで、各突起部１５、１６及び各穴部１７、１８は、ディスク本体部７及び分離保護層８を所定の取り付け位置に配置したときに、各突起部１５、１６がそれぞれ各穴部１７、１８に対応するような位置関係で配置されている。各円穴部１７ａ、１８ａの直径は、各ヘッド部１５ｂ、１６ｂが通り抜けることができるように設定されている。また、各長穴部１７ｂ、１８ｂの幅は、各軸部１５ａ、１６ａがぴったりはまるように設定されている。
【００２５】
かくして、分離保護層８をディスク本体部７に取り付けるときには、まず分離保護層８とディスク本体部７とを、各ヘッド部１５ｂ、１６ｂが各円穴部１７ａ、１８ａと対向するような位置関係で配置する。そして、各ヘッド部１５ｂ、１６ｂを各円穴部１７ａ、１８ａに挿入して、分離保護層８とディスク本体部７とを重ね合わせる。この後、分離保護層８とディスク本体部７とを、センターホール２（図１参照）の中心を回転中心として、互いに相対的に反対方向に回す。これにより、各軸部１５ａ、１６ａが各長穴部１７ｂ、１８ｂにぴったりはまり、分離保護層８がディスク本体部７に取り付けられる。なお、分離保護層８をディスク本体部７から取り外す場合は、分離保護層８とディスク本体部７とを、前記の取り付けの場合と反対方向に回し、各ヘッド部１５ｂ、１６ｂを各円穴部１７ａ、１８ａから引き抜けばよい。
【００２６】
前記のとおり、この実施の形態では、突起部１５、１６と穴部１７、１８とを係合させることにより、分離保護層８をディスク本体部７に取り付けるようにしている。しかしながら、突起部１５、１６及び穴部１７、１８を設けず、粘着剤（ないしは接着剤）等を用いて分離保護層８をディスク本体部７に着脱可能に取り付けるようにしてもよい。
【００２７】
この場合は、データを記録する構造を有しないコア部３で、分離保護層８をディスク本体部７に粘着させる。なお、コア部３は、読取装置の内部で回転体によって固定される部分であるので、光学性能は何ら要求されず、かつ接着に適した面積を有する部位である。具体的には、分離保護層８のコア部３ａに粘着剤を塗布した上で、分離保護層８とディスク本体部７とを重なり合うように粘着させればよい。なお、ＣＤ１のコア部３は、使用時には読取装置内部で固定される部位であるので、さほど強固に接着しなくても、使用時に剥離してディスク本体部７や読取装置に損傷を与えるといった不具合は生じない。したがって、分離保護層８とディスク本体部７とを強固に接着する必要はない。
【００２８】
粘着剤としては、剥離性が高く、分離保護層８をディスク本体部７から剥離したときに、ディスク本体部７（固定保護層９）にのり痕が残らないもの、例えば一般に仮止め用として用いられている程度の弱粘着性のものを用いるのが好ましい。
【００２９】
以上、突起部１５、１６と穴部１７、１８とを係合させることにより分離保護層８をディスク本体部７に取り付けた場合、及び、粘着剤を用いて分離保護層８をディスク本体部７に取り付けた場合のいずれにおいても、ＣＤ１の光照射面（分離保護層８）に、傷がついたり除去不可能な異物が付着したりしたときには、分離保護層８を新しいものと取り替えることにより、ＣＤ１を完全無欠な状態に復元することができる。また、分離保護層８がディスク本体部７から剥離ないしは脱離することはないので、読取装置を損傷する危険性を大幅に低減することができる。
【００３０】
ところで、前記の実施の形態では、主としてデータ層１０を保護する保護層を、ディスク本体部７と一体化された固定保護層９と、ディスク本体部７に対して着脱可能に取り付けられる分離保護層８とで構成している。しかしながら、固定保護層９を設けず、単一の分離保護層を、ディスク本体部７に着脱可能に取り付けるようにしてもよい。この場合、単一の分離保護層の厚さは、前記の固定保護層９の厚さと分離保護層８の厚さとを合わせたものとなる。なお、単一の分離保護層のディスク本体部７への取り付け構造は、基本的には、突起部１５、１６と穴部１７、１８とを係合させることにより分離保護層８をディスク本体部７に取り付ける場合と同様である。
【産業上の利用可能性】
【００３１】
以上のように、本発明に係る光ディスクは、その光照射面についた傷や異物に起因する不具合の解消に有用であり、とくに光ディスクのレンタル産業等において用いるのに適している。とくに、光学ディスクを利用する映像メディアが普及している現在、これらの光ディスクをレンタルしている業種においては、光ディスクの損傷は直接利益に影響を及ぼす。すなわち、商品である光ディスクの損傷の低減は、不良在庫の低減につながり、かつ顧客の信用の向上にもつながるものと予測される。また、家庭用ゲームソフトにおいては、児童が光ディスクを乱雑に扱うことがあるので、本発明は消費者の財産を守ることにもつながるものと推測される。
【図面の簡単な説明】
【００３２】
【図１】本発明の実施の形態に係るＣＤの平面図である。
【図２】図１に示すＣＤの要部の断面図である。
【図３】（ａ）は図１に示すＣＤのディスク本体部のコア部の平面図であり、（ｂ）は該ＣＤの分解斜視図であり、（ｃ）は該ＣＤの分離保護層のコア部の斜視図である。
【符号の説明】
【００３３】
１  ＣＤ、２  センターホール、３  コア部、３ａ  コア部、３ｂ  コア部、４  リードイン領域、５  データ領域、６  外縁部、７  ディスク本体部、８  分離保護層、９  固定保護層、１０  データ層（記録層）、１１  反射層、１２  保護膜、１３  ラベル層、１５  第１突起部、１５ａ  軸部、１５ｂ  ヘッド部、１６  第２突起部、１６ａ  軸部、１６ｂ  ヘッド部、１７  第１穴部、１７ａ  円穴部、１７ｂ  長穴部、１８  第２穴部、１８ａ  円穴部、１８ｂ  長穴部。
【図１】
2006338737.tif 000003
【図２】
2006338737.tif 000004
【図３】
2006338737.tif 000005